(57)【特許請求の範囲】
【請求項１】
ＵＲＬによって特定されるＷｅｂページに含まれる画像の実寸の長さの入力を受け付け、前記画像の実寸の長さを含む縮尺情報を設定する縮尺設定手段と、
前記ＵＲＬと前記縮尺情報とをひもづけて記憶する縮尺情報記憶部と、
前記ＵＲＬに対応する前記Ｗｅｂページに含まれる前記画像を、当該ＵＲＬにひもづけられた前記縮尺情報に含まれる前記画像の実寸の長さと、縮尺情報設定装置のディスプレイ装置の表示領域の寸法とに従って、前記ディスプレイ装置に実寸に基づいた縮尺で表示する縮尺指定表示手段と、を備えることを特徴とする、縮尺情報設定装置。
【請求項２】
前記縮尺設定手段が、前記ＵＲＬに対応するＷｅｂページを表示する手段と、
前記Ｗｅｂページ中の基準部位の指定を受け付ける手段と、
前記基準部位の長さの入力を受け付ける手段と、を備えることを特徴とする、請求項１に記載の縮尺情報設定装置。
【請求項３】
前記縮尺指定表示手段が、前記縮尺情報記憶部の記憶する複数の前記ＵＲＬにひもづいた複数の前記Ｗｅｂページを同時に表示することを特徴とする、請求項１又は請求項２に記載の縮尺情報設定装置。
【請求項４】
前記縮尺指定表示手段が、複数の前記Ｗｅｂページを重畳表示することを特徴とする、請求項３に記載の縮尺情報設定装置。
【請求項５】
前記縮尺指定表示手段が、複数の前記Ｗｅｂページの内の１つ又は複数を透過表示することを特徴とする、請求項４に記載の縮尺情報設定装置。
【請求項６】
１つ又は複数の縮尺情報設定装置と、縮尺情報共有サーバ装置と、を備える縮尺情報設定システムであって、
前記縮尺情報設定装置が、ＵＲＬによって特定されるＷｅｂページに含まれる画像の実寸の長さの入力を受け付け、前記画像の実寸の長さを含む縮尺情報を設定する縮尺設定手段と、
前記ＵＲＬに対応する前記Ｗｅｂページに含まれる前記画像を、当該ＵＲＬにひもづけられた前記縮尺情報に含まれる前記画像の実寸の長さと、縮尺情報設定装置のディスプレイ装置の表示領域の寸法とに従って、前記ディスプレイ装置に実寸に基づいた縮尺で表示する縮尺指定表示手段と、
前記縮尺設定手段によって設定された縮尺情報の前記縮尺情報共有サーバ装置への送信及び前記縮尺情報共有サーバ装置からの前記縮尺情報の受信を行う縮尺情報共有手段と、を有し、
前記縮尺情報共有サーバ装置が、前記縮尺情報設定装置より前記ＵＲＬと前記縮尺情報とを受信する縮尺情報受信手段と、
前記ＵＲＬと前記縮尺情報とをひもづけて記憶する共有縮尺情報記憶部と、
前記縮尺情報設定装置へ前記縮尺情報を配信する縮尺情報配信手段と、を有し、
前記縮尺設定手段によって前記ＵＲＬに設定された前記縮尺情報を、前記縮尺情報記憶部と前記共有縮尺情報記憶部の一方又は両方に記憶することを特徴とする、縮尺情報設定システム。
【請求項７】
前記縮尺設定手段が、前記ＵＲＬに対応するＷｅｂページを表示する手段と、
前記Ｗｅｂページ中の基準部位の指定を受け付ける手段と、
前記基準部位の長さの入力を受け付ける手段と、を備えることを特徴とする、請求項６に記載の縮尺情報設定システム。
【請求項８】
前記縮尺指定表示手段が、前記縮尺情報記憶部及び／又は前記共有縮尺情報記憶部の記憶する複数の前記ＵＲＬにひもづいた複数の前記Ｗｅｂページを同時に表示することを特徴とする、請求項６又は請求項７の何れかに記載の縮尺情報設定システム。
【請求項９】
前記縮尺指定表示手段が、複数の前記Ｗｅｂページを重畳表示することを特徴とする、請求項８に記載の縮尺情報設定システム。
【請求項１０】
前記縮尺指定表示手段が、複数の前記Ｗｅｂページの内の１つ又は複数を透過表示することを特徴とする、請求項９に記載の縮尺情報設定システム。
【請求項１１】
ＵＲＬによって特定されるＷｅｂページに対する縮尺情報の設定を行う縮尺情報設定プログラムであって、
コンピュータを、
ＵＲＬによって特定されるＷｅｂページに含まれる画像の実寸の長さの入力を受け付け、前記画像の実寸の長さを含む縮尺情報を設定する縮尺設定手段と、
前記ＵＲＬと前記縮尺情報とをひもづけて記憶する縮尺情報記憶部と、
前記ＵＲＬに対応する前記Ｗｅｂページに含まれる前記画像を、当該ＵＲＬにひもづけられた前記縮尺情報に含まれる前記画像の実寸の長さと、縮尺情報設定装置のディスプレイ装置の表示領域の寸法とに従って、前記ディスプレイ装置に実寸に基づいた縮尺で表示する縮尺指定表示手段と、として機能させることを特徴とする、縮尺情報設定プログラム。
【発明の詳細な説明】
【技術分野】
【０００１】
本発明は、画像に縮尺の設定を行い、それに従って画像の表示を行う、縮尺情報設定装置及び縮尺情報設定システムに関する。
【背景技術】
【０００２】
従来、画像、特に設計図面などのように、縮尺情報が重要となる画像を、コンピュータ装置などによって画像データとして取り扱うために、縮尺情報の設定や、それに対応する大きさで表示することが求められてきた。
【０００３】
例えば、特許文献１には、図面データをその縮尺情報と共に図面サーバに記録しておき、それをタブレット型端末装置において、実寸に準拠した縮尺で表示する、図面表示装置に関する技術が公開されている。
【０００４】
また、このように画像データへと縮尺を設定する技術は、図面に限らず、建物への建具の配置のためのサイズ確認や、被服のサイズ確認など、他の様々な用途においても用いられている。
【０００５】
例えば、特許文献２には、２枚の画像のうち、一方の画像に含まれる長さが既知である部分の指定を受けて縮尺を判断し、他方の画像を同一の縮尺となるように拡大／縮小して合成することができる、画像合成装置に関する技術が公開されている。
【先行技術文献】
【特許文献】
【０００６】
【特許文献１】特開２０１３−７３６０３号公報
【特許文献２】特開平７−１３１６３３号公報
【発明の概要】
【発明が解決しようとする課題】
【０００７】
特許文献１や特許文献２に記載の技術によれば、画像データを実寸に準拠した縮尺によって表示することが可能であるが、そのために、サーバ装置や端末装置などに、縮尺情報と画像情報とを記録しておく必要があり、そのための記憶容量が必要となる。
【０００８】
特に、縮尺に従って拡大することができるという利点を活かすことを考えると、高精細な画像データを用いる必要が生じるため、画像データの記憶のためには大きな記憶容量が必要とされる。
【０００９】
そこで、本発明では、画像データへの縮尺の設定、設定した縮尺に従った画像データの表示を可能としながらも、コンピュータ装置の記憶容量を圧迫しない、縮尺情報設定装置及び縮尺情報設定プログラムを提供することを課題とする。
【課題を解決するための手段】
【００１０】
上記課題を解決するために、本発明に係る縮尺情報設定装置は、
ＵＲＬによって特定されるＷｅｂページに縮尺情報を設定する縮尺設定手段と、
前記ＵＲＬと前記縮尺情報とをひもづけて記憶する縮尺情報記憶部と、
前記縮尺情報に記憶される前記ＵＲＬに対応する前記Ｗｅｂページを、当該ＵＲＬにひもづけられた前記縮尺情報に従って表示する縮尺指定表示手段と、を備えることを特徴とする。
【００１１】
これにより、縮尺情報の設定、それに従った画像の表示を行うために、画像データ自体を記憶しておく必要が無くなり、多量の画像データへと縮尺設定を行う場合になどにも、それらの縮尺情報の保持のために必要となる記憶容量を大きく低減することができる。
【００１２】
本発明の好ましい形態では、前記縮尺設定手段が、前記ＵＲＬに対応するＷｅｂページを表示する手段と、
前記Ｗｅｂページ中の基準部位の指定を受け付ける手段と、
前記基準部位の長さの入力を受け付ける手段と、を備えることを特徴とする。
これにより、ユーザは縮尺情報の設定を簡単な操作によって行うことができる。
【００１３】
本発明の好ましい形態では、前記縮尺指定表示手段が、前記縮尺情報記憶部の記憶する複数の前記ＵＲＬにひもづいた複数の前記Ｗｅｂページを同時に表示することを特徴とする。
これにより、ユーザは複数のＷｅｂページ中に含まれる画像の同縮尺によるサイズ比較などを容易に行うことができる。
【００１４】
本発明の好ましい形態では、前記縮尺指定表示手段が、複数の前記Ｗｅｂページを重畳表示することを特徴とする。
【００１５】
本発明の好ましい形態では、前記縮尺指定表示手段が、複数の前記Ｗｅｂページの内の１つ又は複数を透過表示することを特徴とする。これにより、複数の前記Ｗｅｂページを重畳表示した場合においても、それぞれの前記Ｗｅｂページに含まれるコンテンツを見やすく表示することができる。
【００１６】
本発明に係る縮尺情報設定システムは、
１つ又は複数の縮尺情報設定装置と、縮尺情報共有サーバ装置と、を備える縮尺情報設定システムであって、
前記縮尺情報設定装置が、ＵＲＬによって特定されるＷｅｂページに縮尺情報を設定する縮尺設定手段と、
前記縮尺情報に記憶される前記ＵＲＬに対応する前記Ｗｅｂページを、当該ＵＲＬにひもづけられた前記縮尺情報に従って表示する縮尺指定表示手段と、
前記縮尺情報設定手段によって設定された縮尺情報の前記縮尺情報共有サーバへの送信及び前記縮尺情報共有サーバからの前記縮尺情報の受信を行う縮尺情報共有手段と、を有し、
前記縮尺情報共有サーバ装置が、前記縮尺情報設定装置より前記ＵＲＬと前記縮尺情報とを受信する縮尺情報主神手段と、
前記ＵＲＬと前記縮尺情報とをひもづけて記憶する共有縮尺情報記憶部と、
前記縮尺情報設定装置へ前記縮尺情報を配信する縮尺情報配信手段と、を有することを特徴とする。
このように、縮尺情報共有サーバ装置を備える構成とすることにより、複数のユーザ間での縮尺情報の共有などを簡単に行うことができる。
【００１７】
本発明に係る縮尺情報設定システムの好ましい形態では、
前記縮尺情報設定装置が、前記ＵＲＬと前記縮尺情報とをひもづけて記憶する縮尺情報記憶部を有し、
前記縮尺設定手段によって前記ＵＲＬに設定された前記縮尺情報を、前記縮尺情報記憶部と前記共有縮尺情報記憶部の一方又は両方に記憶することを特徴とする。
このように、縮尺情報共有サーバ装置と、縮尺情報設定装置の一方又は両方に縮尺情報を記録可能な構成とすることにより、共有する必要のない縮尺情報は縮尺情報設定装置に記録する、データの紛失に備え、縮尺情報共有サーバ装置と縮尺情報設定装置の両方に縮尺情報を記録するなど、様々な利用を行うことができる。
【００１８】
本発明に係る縮尺情報設定システムの好ましい形態では、
前記縮尺設定手段が、前記ＵＲＬに対応するＷｅｂページを表示する手段と、
前記Ｗｅｂページ中の基準部位の指定を受け付ける手段と、
前記基準部位の長さの入力を受け付ける手段と、を備えることを特徴とする。
【００１９】
本発明に係る縮尺情報設定システムの好ましい形態では、
前記縮尺指定表示手段が、前記縮尺情報記憶部及び／又は前記共有縮尺情報記憶部の記憶する複数の前記ＵＲＬにひもづいた複数の前記Ｗｅｂページを同時に表示することを特徴とする。
これにより、複数のＷｅｂページに含まれる画像などを動縮尺で比較することができ、縮尺情報共有サーバ装置に他のユーザが記録したＵＲＬ情報と自身が縮尺情報設定装置に記録したＵＲＬ情報とを用いた比較なども行うことができる。
【００２０】
本発明に係る縮尺情報設定システムの好ましい形態では、前記縮尺指定表示手段が、複数の前記Ｗｅｂページを重畳表示することを特徴とする。
【００２１】
本発明に係る縮尺情報設定システムの好ましい形態では、前記縮尺指定表示手段が、複数の前記Ｗｅｂページの内の１つ又は複数を透過表示することを特徴とする。
【００２２】
本発明に係る縮尺情報設定プログラムは、
ＵＲＬによって特定されるＷｅｂページに対する縮尺情報の設定を行う縮尺情報設定プログラムであって、
コンピュータを、
ＵＲＬによって特定されるＷｅｂページに縮尺情報を設定する縮尺設定手段と、
前記ＵＲＬと前記縮尺情報とをひもづけて記憶する縮尺情報記憶部と、
前記縮尺情報に記憶される前記ＵＲＬに対応する前記Ｗｅｂページを、当該ＵＲＬにひもづけられた前記縮尺情報に従って表示する縮尺指定表示手段と、として機能させることを特徴とする。
【発明の効果】
【００２３】
画像データ自体を保持せずとも、縮尺の設定、設定した縮尺に従った画像データの表示を行うことのできる縮尺情報設定装置及び縮尺情報設定プログラムを提供することができる。
【図面の簡単な説明】
【００２４】
【図１】本発明の実施形態１に係る縮尺情報設定装置の機能ブロック図である。
【図２】本発明の実施形態１における縮尺情報設定処理を示すフローチャートである。
【図３】本発明の実施形態１におけるＷｅｂページ表示画面の一例である。
【図４】本発明の実施形態１における縮尺情報設定画面の一例である。
【図５】本発明の実施形態１における縮尺指定表示画面の一例である。
【図６】本発明の実施形態１における縮尺指定表示画面上での定規表示の一例である。
【図７】本発明の実施形態１における縮尺指定表示画面の一例である。
【図８】本発明の実施形態２に係る縮尺情報設定システムの構成図である。
【図９】本発明の実施形態２に係る縮尺情報設定システムの機能ブロック図である。
【図１０】本発明の実施形態２における縮尺情報設定処理を示すフローチャートである。
【発明を実施するための形態】
【００２５】
（実施形態１）
以下、本発明の実施形態１について、図面を参照して詳細に説明する。図１は、本実施形態における縮尺情報設定装置１の機能ブロック図である。
【００２６】
本実施形態に係る縮尺情報設定装置１は、汎用的なＷｅｂブラウザソフトウェアのように、ユーザへとＷｅｂページの閲覧手段を提供するＷｅｂ閲覧手段１１と、Ｗｅｂ閲覧手段１１によって表示するＷｅｂページに縮尺情報の設定を行う縮尺設定手段１２と、Ｗｅｂページに設定した縮尺情報を当該ＷｅｂページのＵＲＬ情報と共に記憶する縮尺情報記憶部１３と、縮尺情報記憶部１３に記録されたＵＲＬ情報と縮尺情報から、当該ＵＲＬ情報に対応するＷｅｂページをユーザからの縮尺指定に基づいて表示する、縮尺指定表示手段１４と、を備える。
【００２７】
更に、縮尺指定表示手段１４は、ＵＲＬ情報に対応したＷｅｂページを取得して表示するＷｅｂページ表示手段１４１と、ユーザから縮尺の指定を受け付け、当該Ｗｅｂページの表示の拡大及び縮小を行う拡大縮小手段１４２と、当該Ｗｅｂページ上の内容の計測のために定規を表示する定規表示手段１４３と、を有する。
【００２８】
なお、縮尺情報設定装置１は、演算装置（ＣＰＵ）、主記憶装置（ＲＡＭ）、ＨＤＤやＳＳＤ、フラッシュメモリなどの補助記憶装置、液晶ディスプレイや有機ＥＬディスプレイ、電子ペーパーなどのディスプレイ装置、有線及び／又は無線によるインターネットへの接続手段、キーボードやマウス、タッチパネル装置などの入力装置を備える。これは、縮尺情報設定装置１を実現するための専用の端末装置を用いてもよいし、パーソナルコンピュータや携帯電話端末、スマートフォン端末、タブレット端末などのような汎用的なコンピュータ装置の補助記憶装置に、縮尺情報設定装置１としての機能を実現するためのプログラムを記録し、実行可能な構成とすることによって実現してもよい。また、一般的なブラウザソフトウェアを利用可能なコンピュータ装置において、ブラウザソフトウェアによって縮尺情報設定装置１としての機能を実現するためのプラグインプログラムを付加するような形態によって実現してもよい。なお、本実施形態においては、縮尺情報設定装置１は入力装置としてタッチパネル装置を有するものとして説明するが、上述した通り、入力装置はこれに限る物ではない。
【００２９】
＜縮尺情報の設定＞
図２は、縮尺設定手段１２によるＷｅｂページへの縮尺情報の設定処理を示すフローチャートである。縮尺情報の設定にあたっては、まず、ステップＳ１１において縮尺情報の設定対象とするＷｅｂページの表示を行う。
【００３０】
これは、Ｗｅｂ閲覧手段１１によって、検索ポータルサイトなどを利用した通常のＷｅｂブラウザソフトウェアと同様のＷｅｂ閲覧を実行可能とし、そのようにして表示したＷｅｂページ中から縮尺情報の設定対象とするＷｅｂページの指定をユーザより受け付けるような構成や、ＵＲＬ情報の直接入力をユーザより受け付けるような構成など、任意の構成としてよい。
【００３１】
図３は、縮尺情報設定装置１による画面表示の一例である。ステップＳ１１では、図３にＤ１として示すＷｅｂページの表示領域に、ユーザに指定された縮尺情報の設定対象とするＷｅｂページの表示を行う。図３にＤ２として示す領域は、ユーザからの各種の操作を受け付けるメニューバーである。例えば、ユーザからＵＲＬの直接入力を受け付ける際には、メニューバー上の「ＵＲＬ」ボタンの操作によって行う。
【００３２】
図３にＤ３として示すのは、現在のＤ１におけるＷｅｂページの表示倍率の表示である。ここでは、例えば、表示中のＷｅｂページに縮尺情報がまだ設定されていない場合には、一般的なＷｅｂブラウザにおける拡大縮小倍率と同様に、当該Ｗｅｂページのデフォルト表示における表示倍率を等倍として扱うなど、任意の表示を行う構成としてよい。更に、領域Ｄ１において、ユーザの指示に基づいたＷｅｂページの回転処理を可能とし、その回転状態を縮尺情報と共に表示してもよい。
【００３３】
また、図３にＤ４として示す領域は、ユーザによる操作を受け付けるための領域である。本実施形態における縮尺情報設定装置１は、先述した通りタッチパネル装置を備えるものであり、ユーザは領域Ｄ４へのタッチ操作によって後に説明する基準部位の指定などのための操作を行うことができる。なお、領域Ｄ４には広告等を表示するような構成としてもよいし、領域Ｄ４を省略するような構成としてもよい。
【００３４】
そして、ステップＳ１２において、ステップＳ１１で表示したＷｅｂページの拡大／縮小表示を行う。ここでは、先に説明した領域Ｄ１のタッチ操作、例えば２本の指をタッチパネル装置に触れ、それらの間隔を動かすピンチ操作などにより、ユーザから拡大、縮小の指示を受け付ける。ここで、ユーザが実際に縮尺情報を設定したいと考えている部分が図３中にＴ１として示す画像である場合を想定すると、画像Ｔ１が領域Ｄ１中に収まり、かつできるだけ大きく表示されるように移動、拡大／縮小処理を行うことが好ましい。
【００３５】
ステップＳ１２を終え、領域Ｄ１に画像Ｔ１が表示されている状態で、ステップＳ１３に進み、ユーザによる基準部位の指定を受け付ける。ここでは、画像Ｔ１の縦方向の実寸が既知であるものとし、図４中にＤ１１ａ、Ｄ１１ｂとして示すように、画像Ｔ１の上辺と下辺の位置指定を受け、それらの間を基準部位とする。なお、ここでは、ユーザによる領域Ｄ４のタッチ操作によって領域Ｄ１に表示するＷｅｂページ中の表示領域の移動や拡大縮小などの操作を受け付ける。また、上記のような領域Ｄ１の操作を、領域Ｄ１に対するタッチ操作によって受け付け、領域Ｄ４には、縮尺情報記憶部１３の有する他のＵＲＬ情報に対応するＷｅｂページのサムネイルを表示し、簡単に遷移可能とするなど、領域Ｄ４を他の用途に利用可能な構成としてもよい。
【００３６】
その後、ステップＳ１４へと進み、図４にＤ１２として示すような入力用のフォームなどを表示し、ユーザから基準部位の長さの入力を受け付ける。
【００３７】
これにより、基準部位のピクセル数と実寸とが明らかになるため、ステップＳ１５で、それらをＷｅｂページのＵＲＬ情報とひもづけて縮尺情報記憶部１３へと記録し、縮尺情報の設定処理は終了する。なお、ステップＳ１５においては、ＵＲＬ情報と縮尺情報の組み合わせに対して、件名やタグなど、任意の付加情報の指定をユーザより受け付け、共に縮尺情報記憶部１３に記録する構成としてもよい。
【００３８】
＜縮尺指定表示＞
縮尺指定表示手段１４を用いて、縮尺情報記憶部１３の保持するＵＲＬ情報に対応するＷｅｂページを表示する際には、ユーザから縮尺情報記憶部１３の保持するＵＲＬ情報の指定を受け付け、当該ＵＲＬ情報に対応するＷｅｂページを、Ｗｅｂページ表示手段１４１によって表示する。
【００３９】
そして、図５にＤ１３として示す縮尺選択メニューを表示するなど、任意の方法によってユーザからの縮尺情報選択を受け付け、拡大縮小手段１４２による拡大／縮小処理を行い、選択された縮尺に則したサイズでの表示を行う。
【００４０】
ここで、縮尺情報記憶部１３の保持する縮尺情報と、縮尺情報設定装置１のディスプレイ装置の表示領域の寸法及び縦横のピクセル数が明らかであれば、それに基づいて、実寸に基づいた縮尺表示を行うことができる。例えば、Ｗｅｂページ中に含まれる画像において、実際の長さが５ｃｍである部位を１分の１の縮尺（等倍）で表示する際に、縮尺情報設定装置１のディスプレイ装置上でも５ｃｍの長さとなるように表示する、というような表示が可能となる。
【００４１】
このように、ディスプレイ装置上に実寸に基づいた縮尺表示を行うことで、ユーザはＷｅｂページ上に含まれる画像等を実物大で表示することができ、サイズ感などを容易に得ることができる。
【００４２】
更に、定規表示手段１４３によって領域Ｄ１上に定規の表示を行い、Ｗｅｂページ中の各部の寸法をよりわかりやすく表示することができる。例えば、図６（ａ）にＲ１として示すような十字型の定規を表示し、領域Ｄ４のタッチ操作によってそれを移動することで、ユーザはＷｅｂページ中の各部の寸法を計測することができる。
【００４３】
あるいは、図６（ｂ）にＲ２として示すように、領域Ｄ１の周囲に目盛りを表示するような構成や、Ｒ１とＲ２とを共に表示するような構成など、任意の形式で定規を表示可能な構成としてもよい。
【００４４】
また、ユーザより領域Ｄ１中の２点の指定を受け付け、それらの間の距離を算出する、直線や曲線などの指定をユーザから受け付け、その長さを算出する、といったような、計測機能を設けてもよい。
【００４５】
＜複数Ｗｅｂページの表示＞
縮尺指定表示手段１４は、図５、図６を用いて説明したような単一のＷｅｂページの表示に加えて、図７に示すように、複数のＷｅｂページの縮尺指定表示を同時に行うことができる。
【００４６】
図７（ａ）は、縮尺情報記憶部１３に記憶される２つのＵＲＬ情報を指定し、その一方に対応するＷｅｂページを領域Ｄ１ａに、他方に対応するＷｅｂページを領域Ｄ１ｂに表示する例である。このように２つのＷｅｂページを並べて表示することにより、ユーザは２つのＷｅｂページ中に含まれる画像などのサイズを容易に比較することができる。
【００４７】
なお、Ｄ３ａ及びＤ３ｂとして示すように、領域Ｄ１ａと領域Ｄ１ｂの縮尺設定を個別に変更可能な構成としてもよいし、それらが連動して設定されるような構成としてもよい。
【００４８】
図７（ｂ）は、縮尺指定表示手段１４による複数のＷｅｂページ表示方法の別の例である。ここでは、領域Ｄ１に２つのＷｅｂページを重畳表示している。このように表示することにより、２つのＷｅｂページに含まれる画像などを組み合わせた場合の外観などを、よりわかりやすく表示することができる。
【００４９】
なお、図７（ｂ）のように２つのＷｅｂページの重畳表示を行う場合には、そのうちの一方、あるいは両方の透過率の指定を受け付け、それに従った透過表示を行う構成とすることが好ましい。
【００５０】
また、図７においては、一例として、２つのＷｅｂページを同時に表示する例を示したが、より多くのＷｅｂページを並べて、あるいは重畳して表示可能な構成としてもよい。
【００５１】
以上のように、縮尺情報設定装置１によってＷｅｂページに縮尺情報を設定することにより、ユーザはＷｅｂページに含まれる内容を、縮尺に則したサイズで表示することができる。そして、縮尺情報記憶部１３へは、縮尺情報とＵＲＬ情報とを記憶すればよく、Ｗｅｂページに含まれる画像データなどのコンテンツ自体を保持しておく必要がないため、縮尺情報設定装置１の補助記憶装置などの容量を圧迫する心配も少ない。また、ＵＲＬ情報に対応するＷｅｂページを利用することにより、画像データ等と縮尺情報とを共に記憶しておくような、縮尺情報設定装置１によって利用するための特別なサーバ装置やコンテンツを用意する必要もないため、実施も容易である。
【００５２】
そして、ユーザは、建築関連などの各種の図面データや、絵画などの美術品、動植物など、被服や小物などのような服飾品、あるいはＷｅｂページのデザインそのものといったような、様々なコンテンツへと縮尺情報を与え、それに則したサイズでの表示や、複数のコンテンツのサイズ比較を行うことができ、様々な用途で縮尺情報設定装置１を活用することができる。
【００５３】
（実施形態２）
以下、本発明の実施形態２について、図面を参照して説明する。なお、上述した実施形態１と基本的に同一の構成要素については、同一の符号を付してその説明を簡略化する。図８は、本発明の実施形態２に係る縮尺情報設定システムの構成図である。
【００５４】
図８に示すように、本実施形態に係る縮尺情報設定システムは、複数の縮尺情報設定装置１と、縮尺情報共有サーバ装置２と、複数のＷｅｂサーバ装置３が、ネットワーク４を介して通信可能に構成されている。
【００５５】
図９は、本実施形態に係る縮尺情報設定システムの機能ブロック図である。ここに示すように、縮尺情報設定装置１は、汎用的なＷｅｂブラウザソフトウェアのように、ユーザへとＷｅｂページの閲覧手段を提供するＷｅｂ閲覧手段１１と、Ｗｅｂ閲覧手段１１によって表示するＷｅｂページに縮尺情報の設定を行う縮尺設定手段１２と、Ｗｅｂページに設定した縮尺情報を当該ＷｅｂページのＵＲＬ情報と共に記憶する縮尺情報記憶部１３と、縮尺情報記憶部１３に記録されたＵＲＬ情報と縮尺情報から、当該ＵＲＬ情報に対応するＷｅｂページをユーザからの縮尺指定に基づいて表示する、縮尺指定表示手段１４と、縮尺情報設定装置１によって設定した縮尺情報の縮尺情報共有サーバ装置２への送信、及び他の縮尺情報設定装置１によって設定された縮尺情報の縮尺情報共有サーバ装置からの受信を行う縮尺情報共有手段１５と、を備える。
【００５６】
縮尺情報共有サーバ２は、縮尺情報共有手段から縮尺情報を受信する縮尺情報受信手段２１と、縮尺情報受信手段２１によって受信した縮尺情報を対応するＷｅｂページのＵＲＬ情報と共に記憶する共有縮尺情報記憶部２２と、縮尺情報を縮尺情報共有手段１５へと配信する縮尺情報配信手段２３と、縮尺情報設定装置１を利用するユーザの情報を記憶するユーザ情報記憶部２４と、を備える。
【００５７】
なお、縮尺情報設定装置１は、演算装置（ＣＰＵ）、主記憶装置（ＲＡＭ）、ＨＤＤやＳＳＤ、フラッシュメモリなどの補助記憶装置、液晶ディスプレイや有機ＥＬディスプレイ、電子ペーパーなどのディスプレイ装置、有線及び／又は無線によるインターネットへの接続手段、キーボードやマウス、タッチパネル装置などの入力装置を備える。これは、縮尺情報設定装置１を実現するための専用の端末装置を用いてもよいし、パーソナルコンピュータや携帯電話端末、スマートフォン端末、タブレット端末などのような汎用的なコンピュータ装置の補助記憶装置に、縮尺情報設定装置１としての機能を実現するためのプログラムを記録し、実行可能な構成とすることによって実現してもよい。また、一般的なブラウザソフトウェアを利用可能なコンピュータ装置において、ブラウザソフトウェアによって縮尺情報設定装置１としての機能を実現するためのプラグインプログラムを付加するような形態によって実現してもよい。なお、本実施形態においては、縮尺情報設定装置１は入力装置としてタッチパネル装置を有するものとして説明するが、上述した通り、入力装置はこれに限る物ではない。
【００５８】
また、縮尺情報共有サーバ装置２は、演算装置（ＣＰＵ）、主記憶装置（ＲＡＭ）、ＨＤＤやＳＳＤ、フラッシュメモリなどの補助記憶装置、有線及び／又は無線によるインターネットへの接続手段や、各種の入出力手段などを備える、汎用的なサーバ装置の補助記憶装置に、縮尺情報共有サーバ装置２の各手段を実現するためのプログラムを記録し、実行可能な実行することにより、実現できる。また、複数のサーバ装置の組み合わせによって、縮尺情報共有サーバ装置２を実現するような構成としてもよい。
【００５９】
＜縮尺情報の設定＞
図１０は、本実施形態における縮尺情報設定処理を示すフローチャートである。まず、ステップＳ２１で、任意の方法によって、縮尺情報の設定対象とするＷｅｂページの表示を行う。
【００６０】
そして、ステップＳ２２からステップＳ２４で、実施形態１において図２から図４を参照して説明したものと同様の操作によって、縮尺情報の設定を受け付ける。
【００６１】
その後、ステップＳ２５に進み、縮尺情報を、縮尺情報設定装置１に設けられた縮尺情報記憶部１３と、縮尺情報共有サーバ装置２に設けられた共有縮尺情報記憶部２２のどちらに保存するかの選択を受け付ける。
【００６２】
ここで、縮尺情報設定装置１への保存が選択された場合には、ステップＳ２６へと進み、実施形態１におけるステップＳ１５と同様に、設定対象ＷｅｂページのＵＲＬ情報と、縮尺情報とをひもづけて、縮尺情報記憶部１３へと記録する。
【００６３】
ステップＳ２５で縮尺情報共有サーバ装置２への保存が選択された場合には、ステップＳ２７へと進み、ユーザ認証を行う。これは、例えば、ユーザから事前にユーザＩＤとパスワードの設定を受け付け、それをユーザ情報記憶部２４へと記憶しておき、ステップＳ２７においてユーザよりユーザＩＤとパスワードの入力を受け付けて、ユーザ情報記憶部２４に記録された情報と照合するなど、任意の方法で行ってよい。
【００６４】
そして、ステップＳ２８で、共有縮尺情報記憶部２２へと、設定対象ＷｅｂページのＵＲＬ情報と、縮尺情報、及び先述したユーザＩＤのような、ユーザの識別情報とをひもづけて記憶する。
【００６５】
また、縮尺情報記憶部１３と共有縮尺情報記憶部２２の両方に、同一のＵＲＬ情報と縮尺情報とを記録可能な構成としてもよい。このような構成とすれば、共有縮尺情報記憶部２２を、縮尺情報記憶部１３のバックアップとするような利用をすることができる。
【００６６】
また、縮尺情報記憶部１３を省略し、全てのＵＲＬ情報と縮尺情報とを、共有縮尺情報記憶部２２に記録するような構成としてもよい。
【００６７】
なお、ここでは、ステップＳ２６において縮尺情報共有サーバ装置２への保存が選択された後にステップＳ２７においてユーザ認証処理を行う構成としているが、縮尺情報設定処理を行う前に予めユーザ認証処理を済ませておき、ステップＳ２７における認証処理を省略可能な構成としてもよい。このような構成とすれば、複数回の縮尺情報設定処理を連続して行う場合などに、ユーザ認証を毎回行う手間を省くことができる。
【００６８】
＜縮尺指定表示＞
本実施形態における縮尺指定表示手段１４を用いたＷｅｂページの縮尺指定表示も、実施形態１において図５、図６を用いて説明したように、縮尺の設定を受け付けてＷｅｂページの縮尺表示を行い、定規表示手段１４３を用いた定規の表示によるＷｅｂページ中の任意部分の長さの計測などを実施可能に構成されている。
【００６９】
ただし、実施形態１においては、縮尺指定表示手段１４による表示対象は、縮尺情報記憶部１３に記憶されるＵＲＬ情報に対応するＷｅｂページであったが、本実施形態においては、共有縮尺情報記憶部２２の保持するＵＲＬ情報についても、縮尺情報配信手段２３、縮尺情報共有手段１５を用いることにより、同様に縮尺指定表示手段１４によって表示することができる。
【００７０】
縮尺情報配信手段２３、縮尺情報共有手段１５を用いた共有縮尺情報記憶部２２からのＵＲＬ情報及び縮尺情報の取得の際には、図１０を用いて説明した縮尺情報の設定処理におけるステップＳ２７と同様に、ユーザの認証を求めることにより、ユーザは自身が共有縮尺情報記憶部に記録したＵＲＬ情報と縮尺情報を利用することができる。
【００７１】
なお、ユーザ情報記憶部２４に、予め複数のユーザが所属するグループ情報を記録しておき、同グループに所属するユーザ間で縮尺情報を共有可能な構成としてもよい。
【００７２】
また、共有縮尺情報記憶部２２の有する全ての縮尺情報、あるいはユーザが任意に設定した縮尺情報を、全てのユーザが閲覧可能な構成としてもよい。このように、共有縮尺情報記憶部２２の保持する縮尺情報の公開範囲を設定可能な構成とすることが好ましい。
【００７３】
＜複数Ｗｅｂページの表示＞
本実施形態においても、実施形態１において図７を用いて説明したように、縮尺指定表示手段１４を用いて、複数のＷｅｂページを並べての表示や、複数のＷｅｂページの重畳表示を行うことができる。
【００７４】
ただし、実施形態１においては、縮尺情報記憶部１３に記録された複数のＵＲＬ情報に対応する複数のＷｅｂページを表示する構成であったが、本実施形態においては、実施形態１と同様の縮尺情報記憶部１３に記録された複数のＵＲＬ情報を用いる他に、共有縮尺情報記憶部２２の有する複数のＵＲＬ情報、また、それらの組み合わせによる複数のＷｅｂページの表示を行うことができる。
【００７５】
以上のように、縮尺情報記憶部１３と共有縮尺情報記憶部のどちらに縮尺情報を記録する場合においても、縮尺の設定対象とするＷｅｂページのＵＲＬ情報と縮尺情報とをひもづけて記録することにより、画像データ等を記録する場合に比べ、縮尺情報設定装置１や、縮尺情報共有サーバ装置２の補助記憶装置の使用量を削減することができる。
【００７６】
そして、縮尺情報共有サーバ装置２を備える構成とすることにより、ユーザがＷｅｂページに設定した縮尺情報を複数の縮尺情報設定装置１を利用する場合などにも簡単に縮尺指定表示を行うことができ、また、万が一、縮尺情報設定装置１の紛失や破損などによって縮尺情報記憶部１３に記録した情報を紛失してしまった場合にも、共有縮尺情報記憶部２２に記憶した情報は引き続き利用することができる。
【００７７】
更に、先述したように、複数のユーザの所属するグループを設定しておき、そのグループ内における縮尺情報の共有や、全てのユーザへの縮尺情報の共有など、共有縮尺情報記憶部２２の保持する縮尺情報の公開範囲を設定可能な構成とすることにより、複数のユーザによって本実施形態に係る縮尺情報設定システムを用いる場合に、縮尺情報の共有などを簡単に行うことができる。
【符号の説明】
【００７８】
１  縮尺情報設定装置
１１  Ｗｅｂ閲覧手段
１２  縮尺設定手段
１３  縮尺情報記憶部
１４  縮尺指定表示手段
１４１  Ｗｅｂページ表示手段
１４２  拡大縮小手段
１４３  定規表示手段
１５  縮尺情報共有手段
２  縮尺情報共有サーバ装置
２１  縮尺情報受信手段
２２  共有縮尺情報記憶部
２３  縮尺情報配信手段
２４  ユーザ情報記憶部
３  Ｗｅｂサーバ装置
４  ネットワーク
Ｄ１、Ｄ１ａ、Ｄ１ｂ  Ｗｅｂページ表示領域
Ｄ２  メニューバー
Ｄ３、Ｄ３ａ、Ｄ３ｂ  縮尺／倍率表示
Ｄ４  操作領域
Ｄ１１ａ、Ｄ１１ｂ  基準部位指定マーカー
Ｄ１２  実寸距離入力フォーム
Ｄ１３  縮尺指定メニュー
Ｒ１、Ｒ２  定規
【図１】
0006566514.tif 000002
【図２】
0006566514.tif 000003
【図３】
0006566514.tif 000004
【図４】
0006566514.tif 000005
【図５】
0006566514.tif 000006
【図６】
0006566514.tif 000007
【図７】
0006566514.tif 000008
【図８】
0006566514.tif 000009
【図９】
0006566514.tif 000010
【図１０】
0006566514.tif 000011